(57)【要約】【課題】対物レンズ内の温度分布の不均一により、対物レンズのレンズ特性が劣化する。【解決手段】対物レンズと対物レンズを支持するボビンの間に介装され、熱伝導率がボビンと異なる介装部材を有するアクチュエータ。【選択図】　図５
2004110984.tif 000002
【特許請求の範囲】
【請求項１】
対物レンズと、
前記対物レンズを支持するボビンと、
前記対物レンズと前記ボビンの間に介装され、熱伝導率が前記ボビンと異なる介装部材と、を有することを特徴とするアクチュエータ。
【請求項２】
前記介装部材は、熱伝導率が前記ボビンよりも大きいことを特徴とする請求項１記載のアクチュエータ。
【請求項３】
前記ボビンは、内周面を有するレンズ収納孔を有し、前記介装部材は、前記レンズ収納孔の前記内周面上に配置されていることを特徴とする請求項１又は２記載のアクチュエータ。
【請求項４】
前記介装部材の表面には、凸部が形成されていることを特徴とする請求項１乃至３の何れか記載のアクチュエータ。
【請求項５】
前記介装部材は、前記対物レンズへ入射する光を絞る絞り部を有することを特徴とする請求項１乃至４の何れか記載のアクチュエータ。
【請求項６】
前記対物レンズは、前記ボビンと非接触であることを特徴とする請求項１乃至５の何れか記載のアクチュエータ。
【請求項７】
請求項１乃至６の何れか記載のアクチュエータを用いた光ピックアップ装置。
【発明の詳細な説明】
【０００１】
【発明の属する技術分野】
本発明は、アクチュエータ及びアクチュエータを用いた光ピックアップ装置に関する。
【０００２】
【従来の技術】
ＣＤやＤＶＤ等の光ディスクに記録された情報を再生するピックアップ装置が知られている。このピックアップ装置は、対物レンズを介して光ディスクに所定波長のレーザビームを照射し、光ディスク上で反射したレーザビームを受光素子で受光することにより、光ディスク上に書き込まれた情報を読み取るための装置である。
【０００３】
ピックアップ装置は、光ディスクの反りや振れに対して光ディスクの情報記録面と対物レンズとの距離を制御するフォーカス制御を行うと共に、光ディスクの情報トラックの偏心に対して対物レンズを追従制御するトラッキング制御を行っている。これにより、レーザビームを所望のトラック上に照射し、光ディスクに記録された情報を正確に読み取っている。
【０００４】
このフォーカス制御及びトラッキング制御を行うアクチュエータは、その可動部を有する。可動部は、対物レンズ、対物レンズを支持するボビン、ボビン上に配置された複数のコイル、ボビンを移動可能に保持する長手状弾性部材等から構成される。各コイルには、適切な量の電流が流され、コイルを流れる電流とコイル近傍に形成された磁場との相互作用によりフォーカス方向又はトラッキング方向にボビンとともに対物レンズの位置を微少変位させて、フォーカス制御又はトラッキング制御が行われる。一般に、このアクチュエータは、感度の向上、レンズのダイナミックチルトの低減、不要共振の抑制等を考慮し最適設計が為されている。
【０００５】
【発明が解決しようとする課題】
しかしながら、コイルに通電を行うとコイルが発熱してしまい、熱がボビンを介して対物レンズに伝導する。この対物レンズに伝導した熱は、対物レンズ内での温度分布を不均一にしてしまい、温度分布の不均一により対物レンズの屈折率を場所毎に異ならせてしまう。これにより、対物レンズ全体のレンズ特性、特にＡＳ収差が発生してしまい、ディスク上の情報を正確に読み取ることが困難になってしまう。これは、特に、プラスチック等の熱による物性値の変化が大きい素材のレンズを用いた場合に顕著となる。
【０００６】
このＡＳ収差の発生による光ディスクからの検出信号に与える影響は、光ディスクが高密度で高倍速になるに従い大きくなり、著しく検出信号を劣化させる。
従って、今後期待される光ディスクの高密度化、及び、高倍速化を図るためには、この温度分布の不均一を無視することはできない。
【０００７】
本発明が解決しようとする課題としては、上述したように、対物レンズ内の温度分布の不均一により、対物レンズのレンズ特性が劣化するという問題が一例として挙げられる。
【課題を解決するための手段】
【０００８】
本発明の請求項１記載のアクチュエータは、対物レンズと、前記対物レンズを支持するボビンと、前記対物レンズと前記ボビンの間に介装され、熱伝導率が前記ボビンと異なる介装部材とを有する。
【発明の実施の形態】
以下、本発明に係る実施形態について詳細に説明する。
【０００９】
（第１実施形態）
以下、図面を参照しながら、本発明に係る第１実施形態のピックアップ装置を説明する。
【００１０】
図１は、本発明に係る第１実施形態のピックアップ装置１を示す斜視図である。このピックアップ装置１は、ＣＤプレーヤー、ＤＶＤプレーヤー等の光ディスク装置内部に配置される。ピックアップ装置１は、ガイドシャフト３，３上に移動可能に配置されたピックアップボディ２と、ピックアップポディ２上に固定配置されたアクチュエータ６とを備えている。ピックアップ装置１は、スピンドル４を介して回転可能に構成されたディスク載置部４ａ上に載置された光ディスク５の記録面と対向している。
【００１１】
図２は、アクチュエータ６の拡大斜視図である。また、図３は、アクチュエータ６の分解斜視図である。アクチュエータ６は、ヨーク１０と、アクチュエータ固定部２０と、ヨーク１０及びアクチュエータ固定部２０に関し微少変位可能に構成されたアクチュエータ可動部３０とを有している。アクチュエータ可動部３０の側面には、取り付け部材２１が固定されている。取り付け部材２１の取り付け部２１ａには、それぞれ４本の長手状弾性部材１５ａ〜１５ｄが取り付けられている。アクチュエータ可動部３０は、長手状弾性部材１５ａ〜１５ｄによりアクチュエータ固定部２０に支持されている。
【００１２】
ヨーク１０上には、一対の磁石部材１１がアクチュエータ可動部３０を挟むようにディスク円周方向に沿って対向配置されている。
【００１３】
図４は、本実施形態のアクチュエータ可動部３０の斜視図であり、図５は、アクチュエータ可動部３０の断面図である。アクチュエータ可動部３０は、対物レンズ３１と、ボビン３２と、介装部材３３と、一対のトラッキングコイル３４と、フォーカスコイル３５とを備えている。
【００１４】
ボビン３２は、相対向する側面にトラッキングコイル巻回用のトラッキングコイル保持部３２ａを有し、内部に軸方向上下に貫通した円筒形上のレンズ収納孔３２ｂを有する樹脂製の部材である。ボビン３２には、レンズ収納孔３２ｂの周面から径方向内側に突出した絞り部３２ｆが形成されている。絞り部３２ｆは、対物レンズ３１に入射するレーザー光の径を対物レンズの有効径に合わせて絞る。レンズ収納孔３２ｂの内径面上には、介装部材３３が挿入され、レンズ収納孔３２ｂの内周面上に密接に配置されている。
【００１５】
介装部材３３は、レンズ収納孔３２ｂの内周面と同形状を有する円筒型の部材である。介装部材３３の軸方向一端には、外径側に折り曲げられたつば３３ａが形成されている。介装部材３３のつば３３ａは、ボビン３２の上面３２ｃ上に密接に配置されている。また、介装部材３３の軸方向他端には、内径側に折り曲げられたつば３３ｂが形成されている。この介装部材３３は、樹脂製のボビン３２よりも高い熱伝導率を持つ素材で構成されている。介装部材３３の内径側には、対物レンズ３１が挿入され、介装部材３３の内径面上及びつば３３ｂ上に密接に固定されている。
【００１６】
対物レンズ３１は、上面視円形形状を有するレンズである。対物レンズ３１は、ボビン３２の下方に位置する図視せぬ光源から出射した所定の波長の光を絞り込み、光ディスク５の情報記録面上に形成されたトラックに沿って照射する。また、対物レンズ３１は、光ディスク５の情報記録面にて反射した光を透過し、図示せぬ受光素子を有する受光部に送る。対物レンズ３１は、介装部材３３によりボビン３２上に固定されており、対物レンズ３１はボビン３２と直接接触していない。
【００１７】
一対のトラッキングコイル保持部３２ａは、ボビン３２のトラッキング方向両側面から突出形成されている。各トラッキングコイル保持部３２ａの側面には、トラッキングコイル保持溝３２ｄが形成されており、トラッキングコイル保持溝３２ｄに沿って、トラッキングコイル３４，３４が巻回されている。
【００１８】
トラッキングコイル３４，３４は、アクチュエータ可動部３０をトラッキング方向に移動させるためのコイルである。一対のトラッキングコイル３４，３４のディスク周方向側成分は、前後に配置された磁石部材１１とそれぞれ対向している。磁石部材１１が形成する磁場は、コイルの配線方向とほぼ垂直になるように構成されている。
【００１９】
トラッキングコイル３４，３４に電流を流すと、磁石部材１１が形成する磁場とトラッキングコイル３４，３４中の電流との相互作用により、アクチュエータ可動部３０をトラッキング方向に動かそうとする力が働く。この力は、トラッキングコイル３４，３４中を流れる電流の方向により変化する。従って、トラッキングコイル３４，３４中を流れる電流の方向を変化させることにより、アクチュエータ可動部３０は、トラッキング方向に揺動する。
【００２０】
また、ボビン３２の側面上には、ボビン３２の側面に跨って、対物レンズ３１の光軸回りに回転する方向にフォーカスコイル３５が巻回されている。フォーカスコイル３５は、アクチュエータ可動部３０をフォーカス方向に移動させるためのコイルである。フォーカスコイル３５のディスク径方向側成分は、前後に配置された磁石部材１１とそれぞれ対向している。磁石部材１１が形成する磁場は、コイルの配線方向とほぼ垂直になるように構成されている。
【００２１】
フォーカスコイル３５に電流を流すと、磁石部材１１が形成する磁場とフォーカスコイル３５中の電流との相互作用により、アクチュエータ可動部３０をフォーカス方向に動かそうとする力が働く。この力は、フォーカスコイル３５中を流れる電流の方向により変化する。従って、フォーカスコイル３５中を流れる電流の方向を変化させることにより、アクチュエータ可動部３０は、フォーカス方向に揺動する。
【００２２】
これらのトラッキングコイル３４，３４およびフォーカスコイル３５は、電流が流れることにより発熱する。この熱は、ボビン３２上に配置された各コイルの位置に応じて、非対称に介装部材３３へ熱を伝導する。ここで、介装部材３３は、ボビン３２よりも熱伝導率が高い素材で構成されているため、介装部材３３は、非対称に伝導した熱を介装部材３３の周方向に素早く伝導し、対物レンズ３１の全周囲から均一に熱を対物レンズ３１に伝導する。従って、対物レンズ３１内の温度分布は、ほぼ同心円上となり、対物レンズ３１に生じる温度分布の同心円周上の不均一が著しく緩和される。よって、対物レンズ３１のレンズ特性の劣化が抑制され、検出信号の検出信頼性が向上する。
【００２３】
介装部材３３の素材としては、ボビン３２よりも熱伝導率が高い素材であればよく、好ましくは、ボビン３２よりも２倍以上熱伝導率が高いものがよい。また、介装部材３２は、アクチュエータ可動部３０の構成部材であるため、アクチュエータの感度を低下させない程度に軽量のものであることが好ましい。
【００２４】
以上、本実施形態のピックアップ装置１によれば、対物レンズ３１は、ボビン３２よりも熱伝導率が高い介装部材３３によってボビン３２上に固定されている。従って、ボビン３２内の非対称な温度分布を対物レンズ３１の周方向に均一化するように作用する。これにより、対物レンズ３１内の周方向の温度分布がほぼ均一化されるため、対物レンズ３１のレンズ特性の劣化が抑制され、検出信号の検出信頼性が向上する。
【００２５】
（第２実施形態）
以下、図面を参照しながら、本発明に係る第２実施形態のピックアップ装置を説明する。
【００２６】
図６は、本実施形態のアクチュエータ可動部４０の斜視図であり、図７は、アクチュエータ可動部４０の断面図である。アクチュエータ可動部４０は、対物レンズ４１と、ボビン４２と、介装部材４３と、一対のトラッキングコイル４４と、フォーカスコイル４５とを備えている。
【００２７】
ボビン４２は、相対向する側面にトラッキングコイル巻回用のトラッキングコイル保持部４２ａを有し、内部に軸方向上下に貫通した円筒形上の貫通孔４２ｂを有する樹脂製の部材である。ボビン４２には、レンズ収納孔４２ｂの周面から径方向内側に突出した絞り部４２ｆが形成されている。絞り部４２ｆは、対物レンズ３１に入射するレーザー光の径を対物レンズの有効径に合わせて絞る。また、ボビン４２の上面４２ｃ上には、貫通孔４２ｂを囲む周囲に段差部４２ｅが形成されている。この段差部４２ｅ上には、介装部材４３が固定されている。
【００２８】
介装部材４３は、上面視円形形状の板状部材である。介装部材４３は、段差部４２ｅの側面とほぼ同形状を有し、段差部４２ｅの形状に沿って密接に固定されている。介装部材４３の中央部には、円形の貫通孔４３ａが形成されており、貫通孔４３ａの周囲には、対物レンズ４１を載置するための段差部４３ｂが形成されている。この介装部材４３は、樹脂製のボビン４２よりも高い熱伝導率を持つ素材で構成されている。
【００２９】
この介装部材４３の段差部４３ｂ上には、対物レンズ４１が挿入されている。
対物レンズ４１は、上面視円形形状を有するレンズであり、その凸部が介装部材４３の貫通孔４３ａ内に位置するよう配置されている。対物レンズ４１は、ボビン４２の下方に位置する図視せぬ光源から出射した所定の波長の光を絞り込み、光ディスク５の情報記録面上に形成されたトラックに沿って照射する。また、対物レンズ４１は、光ディスク５の情報記録面にて反射した光を透過し、図示せぬ受光素子を有する受光部に送る。対物レンズ４１は、介装部材４３によりボビン４２上に固定されており、対物レンズ４１はボビン４２と直接接触していない。
【００３０】
一対のトラッキングコイル保持部４２ａは、ボビン４２のトラッキング方向両側面から突出形成されている。各トラッキングコイル保持部４２ａの側面には、トラッキングコイル保持溝４２ｄが形成されており、トラッキングコイル保持溝４２ｄに沿って、トラッキングコイル４４，４４が巻回されている。トラッキングコイル４４，４４の配置状態および機能は、第１実施形態のトラッキングコイル３４，３４と同一である。
【００３１】
また、ボビン４２の側面上には、ボビン４２の側面に跨って、対物レンズ４１の光軸回りに回転する方向にフォーカスコイル４５が巻回されている。フォーカスコイル４５は、アクチュエータ可動部４０をフォーカス方向に移動させるためのコイルである。このフォーカスコイル４５の配置状態および機能は、第２実施形態のフォーカスコイル３５と同一である。
【００３２】
これらのトラッキングコイル４４，４４およびフォーカスコイル４５は、電流が流れることにより発熱する。この熱は、ボビン４２上に配置された各コイルの位置に応じて、非対称に介装部材４３へ熱を伝導する。ここで、介装部材４３は、ボビン４２よりも熱伝導率が高い素材で構成されているため、介装部材４３は、非対称に伝導した熱を介装部材４３の周方向に素早く伝導し、対物レンズ４１の全周囲から均一に熱を対物レンズ４１に伝導する。従って、対物レンズ４１内の温度分布は、ほぼ同心円上となり、対物レンズ４１に生じる温度分布の同心円周上の不均一が著しく緩和される。よって、対物レンズ４１のレンズ特性の劣化が抑制され、検出信号の検出信頼性が向上する。
【００３３】
以上、本実施形態によれば、対物レンズ４１は、ボビン４２よりも熱伝導率が高い介装部材４３によってボビン４２上に固定されている。従って、ボビン４２内の非対称な温度分布を対物レンズ４１の周方向に均一化するように作用する。
これにより、対物レンズ４１内の周方向の温度分布がほぼ均一化されるため、対物レンズ４１のレンズ特性の劣化が抑制され、検出信号の検出信頼性が向上する。
【００３４】
（第３実施形態）
以下、図面を参照しながら、本発明に係る第３実施形態のピックアップ装置を説明する。
【００３５】
図８は、本実施形態のアクチュエータ可動部５０の斜視図であり、図９は、アクチュエータ可動部５０の断面図である。アクチュエータ可動部５０は、対物レンズ５１と、ボビン５２と、介装部材５３と、一対のトラッキングコイル５４と、フォーカスコイル５５とを備えている。
【００３６】
本実施形態のアクチュエータ可動部５０は、第２実施形態のアクチュエータ可動部４０の介装部材４３に改良を加えたものであり、その他の構成部材５１，５２，５４，５５は、第２実施形態の構成部材４１，４２，４４，４５と同一である。
【００３７】
本実施形態の介装部材５３は、上面視円形形状の板状部材である。介装部材５３は、ボビン５２の段差部５２ｅの側面とほぼ同形状を有し、段差部５２ｅの形状に沿って密接に固定されている。介装部材５３の中央部には、円形の貫通孔５３ａが形成されており、貫通孔５３ａの周囲には、対物レンズ５１を載置するための段差部５３ｂが形成されている。この介装部材５３は、樹脂製のボビン５２よりも高い熱伝導率を持つ素材で構成されている。
【００３８】
また、介装部材５３の上面には、複数の溝部５３ｃが周方向に沿って同心円上に形成されている。これらの溝部５３ｃは、介装部材５３の表面積を増加させ、いわゆるヒートシンクの放熱フィンとして機能し、介装部材５３に伝導した熱を外部に放出する。この介装部材５３は、対物レンズ５１とボビン５２が直接接触しないように対物レンズ５１を固定している。
【００３９】
これらのトラッキングコイル５４，５４およびフォーカスコイル５５は、電流が流れることにより発熱する。この熱は、ボビン５２上に配置された各コイルの位置に応じて、非対称に介装部材５３へ熱を伝導する。ここで、介装部材５３は、ボビン５２よりも熱伝導率が高い素材で構成されているため、介装部材５３は、非対称に伝導した熱を介装部材５３の周方向に素早く伝導する。そのため、介装部材５３の周方向温度は、ほぼ均一となり、対物レンズ５１の全周囲から均一に熱を対物レンズ５１に伝導する。従って、対物レンズ５１内の温度分布は、ほぼ同心円上となり、対物レンズ５１に生じる温度分布の同心円周上の不均一が著しく緩和される。よって、対物レンズ５１のレンズ特性の劣化が抑制され、検出信号の検出信頼性が向上する。
【００４０】
さらに、介装部材５３の上面に形成された複数の溝部５３ｃによって外気と接触する表面積が増加することにより、介装部材５３に伝導した熱を外部に放出し、対物レンズ５１への熱の流入量を積極的に減少させる。従って、対物レンズ５１の温度上昇が抑えられるため、対物レンズのレンズ特性の劣化が抑制される。
これにより、対物レンズ５１を介して検出される信号の信頼性が向上する。
【００４１】
以上、本実施形態によれば、対物レンズ５１は、ボビン５２よりも熱伝導率が高い介装部材５３によってボビン５２上に固定されている。従って、ボビン５２内の非対称な温度分布を対物レンズ５１の周方向に均一化するように作用する。
また、介装部材５３に形成された複数の溝部５３ｃは、介装部材５３に伝導した熱を外部に放出し、対物レンズ５１への熱の流入量を積極的に減少させる。これにより、対物レンズ５１内の周方向の温度分布がほぼ均一化され、また対物レンズ５１への熱の流入量が減少するため、対物レンズ５１のレンズ特性の劣化が抑制され、検出信号の検出信頼性が向上する。
【００４２】
（第４実施形態）
以下、図面を参照しながら、本発明に係る第４実施形態のピックアップ装置を説明する。
【００４３】
図９は、本実施形態のアクチュエータ可動部６０の断面図である。アクチュエータ可動部６０は、対物レンズ６１と、ボビン６２と、介装部材６３と、一対のトラッキングコイル６４と、フォーカスコイル６５とを備えている。
【００４４】
本実施形態のアクチュエータ可動部６０は、第１実施形態のアクチュエータ可動部３０のボビン３２に形成された絞り部３２ｆを排し、代わりに介装部材６２が絞り部として機能するものである。その他の構成部材は、第１実施形態の構成部材と同一である。
【００４５】
介装部材６３は、レンズ収納孔６２ｂの内周面と同形状を有する円筒型の部材である。介装部材６３の軸方向一端には、外径側に折り曲げられたつば６３ａが形成されている。介装部材６３のつば６３ａは、ボビン６２の上面６２ｃ上に密接に配置されている。また、介装部材６３の軸方向他端には、径方向内側に折り曲げられ突出したつば６３ｂが形成されている。つば６３ｂの先端は、対物レンズ６１の表面近傍まで突出しており、対物レンズ６１に入射するレーザー光の径を制限している。つまり、つば６３ｂは、対物レンズの有効径に合わせて絞る絞りとして機能する。
【００４６】
この介装部材３３は、樹脂製のボビン３２よりも高い熱伝導率を持つ素材で構成されている。介装部材３３の内径側には、対物レンズ３１が挿入され、介装部材３３の内径面上及びつば３３ｂ上に密接に固定されている。また、本実施形態では、つば６３ｂでレーザー光の径を制限するために、つば６３ｂは、非光透過性の素材で構成されている。
【００４７】
各コイルに通電すると、トラッキングコイル６４，５４およびフォーカスコイル６５は、電流が流れることにより発熱する。この熱は、ボビン６２上に配置された各コイルの位置に応じて、非対称に介装部材６３へ熱を伝導する。ここで、介装部材６３は、ボビン６２よりも熱伝導率が高い素材で構成されているため、介装部材６３は、非対称に伝導した熱を介装部材６３の周方向に素早く伝導する。そのため、介装部材６３の周方向温度は、ほぼ均一となり、対物レンズ６１の全周囲から均一に熱を対物レンズ６１に伝導する。従って、対物レンズ６１内の温度分布は、ほぼ同心円上となり、対物レンズ６１に生じる温度分布の同心円周上の不均一が著しく緩和される。よって、対物レンズ６１のレンズ特性の劣化が抑制され、検出信号の検出信頼性が向上する。
【００４８】
以上、本実施形態によれば、対物レンズ６１は、ボビン６２よりも熱伝導率が高い介装部材６３によってボビン６２上に固定されている。従って、ボビン６２内の非対称な温度分布を対物レンズ６１の周方向に均一化するように作用する。
これにより、対物レンズ５１内の周方向の温度分布がほぼ均一化され、対物レンズ５１のレンズ特性の劣化が抑制され、検出信号の検出信頼性が向上する。また、介装部材６３は、絞りとしての機能も併せ持っているため、有効径が異なる対物レンズを生産する場合でも、ボビンの形状を変更することなく、介装部材６３の形状を対物レンズに合わせて変更することによって、異なる対物レンズに対応することが可能となる。
【００４９】
（第５実施形態）
以下、図面を参照しながら、本発明に係る第５実施形態のピックアップ装置を説明する。
【００５０】
図１１は、アクチュエータ可動部７０の断面図である。アクチュエータ可動部７０は、対物レンズ７１と、ボビン７２と、介装部材７３と、一対のトラッキングコイル７４と、フォーカスコイル７５とを備えている。
【００５１】
本実施形態の介装部材７３は、断面視ほぼ長方形状のリング上部材であり、ボビン７２の内周面７２ｂに接して内周面７２ｂから突出した絞り部７２ｃ上に配置されている。この介装部材７３は、樹脂製のボビン７２よりも高い熱伝導率を持つ素材で構成されている。そして、対物レンズ７１は、ボビン７２の内周面７２及び介装部材７３に接して固定されている。
【００５２】
トラッキングコイル７４，７４およびフォーカスコイル７５の発熱により伝導する熱は、ボビン７２上に配置された各コイルの位置に応じて、非対称に伝導し、一部は介装部材７３へ、そして一部は直接対物レンズ７１に伝導する。ここで、介装部材７３は、ボビン７２よりも熱伝導率が高い素材で構成されているため、介装部材７３は、非対称に伝導した熱を介装部材７３の周方向に素早く伝導し、対物レンズ７１の全周囲から均一に熱を対物レンズ７１に伝導する。本実施形態の場合には、一部の熱は直接対物レンズ７１に伝導するため、第１〜４実施形態の場合よりも、対物レンズ内の温度分布は、非対称になるが、介装部材７３を用いない場合に比べ、対物レンズ７１に生じる温度分布の同心円周上の不均一が著しく緩和される。よって、対物レンズ７１のレンズ特性の劣化が抑制され、検出信号の検出信頼性が向上する。また、介装部材７３は、前述の介装部材３３，４３，５３，６３に比べ、形状が簡略化されているので、部品コストを低く抑えることができる。
【００５３】
以上、本発明に係る第１〜５実施形態によれば、対物レンズは、ボビンよりも熱伝導率が高い素材から構成される介装部材を介して、光軸に対して対称にボビンに固定されている。特に、第１〜４実施形態によれば、対物レンズとボビンは直接接触していない。従って、対物レンズに流入する周方向の温度分布をほぼ均一にすることが可能となり、周方向温度分布の不均一に起因するレンズ特性の劣化を抑制することが可能となる。
【００５４】
なお、本発明に係る各実施形態では、具体的な介装部材の形状を述べたが、ボビンからの熱による周方向温度分布が均一となり、対物レンズと周方向において均一に接触する介装部材を用いればよく上記に限定されるものではない。例えば、対物レンズの形状が特殊な場合には、対物レンズの形状に即した任意の介装部材を用いてもよい。
【図面の簡単な説明】
【図１】本発明に係る第１実施形態のピックアップ装置を示す斜視図である。
【図２】ピックアップ装置の拡大斜視図である。
【図３】ピックアップ装置の分解斜視図である。
【図４】第１実施形態のアクチュエータ可動部の斜視図である。
【図５】第１実施形態のアクチュエータ可動部の断面図である。
【図６】第２実施形態のアクチュエータ可動部の斜視図である。
【図７】第２実施形態のアクチュエータ可動部の断面図である。
【図８】第３実施形態のアクチュエータ可動部の斜視図である。
【図９】第３実施形態のアクチュエータ可動部の断面図である。
【図１０】第４実施形態のアクチュエータ可動部の断面図である。
【図１１】第１１実施形態のアクチュエータ可動部の断面図である。
【符号の説明】
１　　　光ピックアップ
２　　　可動部材
３　　　ガイドシャフト
４　　　スピンドルモータ
５　　　光ディスク
６　　　アクチュエータ
１０　　ヨーク
１１　　磁石部材
２０　　アクチュエータ固定部
３０，４０，５０，６０，７０アクチュエータ可動部
３１，４１，５１，６１，７１　対物レンズ
３２，４２，５２，６２，７２　ボビン
３３，４３，５３，６３，７３　介装部材
【図１】
2004110984.tif 000003
【図２】
2004110984.tif 000004
【図３】
2004110984.tif 000005
【図４】
2004110984.tif 000006
【図５】
2004110984.tif 000007
【図６】
2004110984.tif 000008
【図７】
2004110984.tif 000009
【図８】
2004110984.tif 000010
【図９】
2004110984.tif 000011
【図１０】
2004110984.tif 000012
【図１１】
2004110984.tif 000013